(57)【特許請求の範囲】
【請求項１】
建物開口部に取り付けられるスクリーン枠と、該スクリーン枠の上下横枠に沿って横引き摺動可能な可動框と、可動框を横引き操作して開閉されるスクリーンと、巻取りボックス内に支持され上記スクリーンが巻き取られる巻取軸とを有し、上記スクリーン枠における左右の縦枠のうち、一方の縦枠が上記巻取りボックスとされ、他方の縦枠が上記スクリーンの張設時に可動框が衝当する受け枠とされた巻取り式スクリーン装置において、
上記巻取軸が、スクリーンを巻き取るスクリーン巻取部と、該巻取軸の上下端において、スクリーン巻取部と同心配備されて一体的に回転するリール部とを有し、
上記可動框の上端に第１のワイヤーの先端が連結されると共に、該可動框の下端に第２のワイヤーの先端が連結されており、これら第１及び第２のワイヤーが上記横枠に沿って受け枠に導かれてから巻取りボックスに向けて折り返され、該巻取りボックス内の巻取軸の上端に配されたリール部に第１のワイヤーの基端が巻着され、また、巻取軸の下端に配されたリール部に第２のワイヤーの基端が巻着されることにより、可動框の摺動操作でスクリーンが巻取軸から繰り出されたときに第１及び第２のワイヤーが該巻取軸に巻き取られ、第１及び第２のワイヤーが巻取軸から繰り出されたときスクリーンが巻取軸に巻き取られる関係を相互に有することを特徴とする巻取り式スクリーン装置。
【発明の詳細な説明】
【技術分野】
【０００１】
本発明は、スクリーン枠の上下横枠に沿って摺動する可動框によりスクリーンを横引き式に開閉可能としたスクリーン装置に関するものであって、詳しくは、上記スクリーンが巻取軸に巻き取られる巻取り式スクリーン装置に関するものである。
【背景技術】
【０００２】
建物開口部に装着される横引き式のスクリーン装置において、上下横枠に沿って摺動可能な可動框と、可動框によって開閉操作されるスクリーンと、巻取りボックス内に支持され上記スクリーンが取付けられる巻取軸とを有するものは従来から公知である。この種のスクリーン装置は、例えば、特許文献１に開示されているように、上記巻取軸にスプリングを内蔵することでスクリーンの収納方向にばね付勢され、それによって、巻取軸にスクリーンを巻取り可能に構成された自動収納式が一般的に用いられている。
【０００３】
ところで、このような従来の巻取り式スクリーン装置においては、上記スクリーンが該スクリーンの収納方向に常に付勢されているため、可動框を操作してスクリーンを展張方向に引き出す際、この付勢力に抗した力を要する。また、スクリーンを展張してこれを全展張状態で位置保持する場合には、可動框及び受け枠に対してラッチ機構を設けなければならない。このラッチ機構としては、マグネットの吸着力を利用したものがあるが、この場合、スプリングの付勢力とマグネットの吸着力とのバランスを考慮したうえで、可動框と受け枠との固定が不用意に解除されないような吸着力が必要となる。その他、可動框と受け枠のいずれか一方に掛け爪を設け、他方に該掛け爪が係合する受け鈎を設けるタイプのものもあるが、このタイプのものは、スプリングの付勢力に抗しながら上記係合及びその解除を行う必要があるし、その手間を解消するためには構造が複雑化してしまう。
【０００４】
そうすると、例えば、力の弱い子供等の使用者は、上記可動框を操作してスクリーンを展張させることや、或いは、スクリーンが全展張状態に保持された状態から、可動框と受け枠との係合の解除を行うことが困難になってしまうおそれがあった。単純に、ばね付勢手段を設けなければこのような問題はなくなるが、その場合、スクリーンを展張する際は問題ないものと思われるが、これとは逆にスクリーンを収納する際には、スクリーンに何ら引張力が作用しないことから、該スクリーンが弛んでしまい、スクリーンを可動框の摺動に併せて巻取軸に巻き取ることが非常に困難になってしまう等の新たな問題が生じてしまう。
【先行技術文献】
【特許文献】
【０００５】
【特許文献１】特開２００８−１６３６７２号公報
【発明の概要】
【発明が解決しようとする課題】
【０００６】
本発明の技術的課題は、可動框を小さい力で摺動させることでスクリーンの移動を容易なものとし、また、スクリーンを可動框の摺動に連動させて巻取軸から繰り出したり、或いは、巻き取ることが可能な巻取り式スクリーン装置を提供することにある。
【課題を解決するための手段】
【０００７】
上記課題を解決するため、本発明は、建物開口部に取り付けられるスクリーン枠と、該スクリーン枠の上下横枠に沿って横引き摺動可能な可動框と、可動框を横引き操作して開閉されるスクリーンと、巻取りボックス内に支持され上記スクリーンが巻き取られる巻取軸とを有し、上記スクリーン枠における左右の縦枠のうち、一方の縦枠が上記巻取りボックスとされ、他方の縦枠が上記スクリーンの張設時に可動框が衝当する受け枠とされた巻取り式スクリーン装置において、上記巻取軸が、スクリーンを巻き取るスクリーン巻取部と、該巻取軸の上下端において、スクリーン巻取部と同心配備されて一体的に回転するリール部とを有し、上記可動框の上端に第１のワイヤーの先端が連結されると共に、該可動框の下端に第２のワイヤーの先端が連結されており、これら第１及び第２のワイヤーが上記横枠に沿って受け枠に導かれてから巻取りボックスに向けて折り返され、該巻取りボックス内の巻取軸の上端に配されたリール部に第１のワイヤーの基端が巻着され、また、巻取軸の下端に配されたリール部に第２のワイヤーの基端が巻着されることにより、可動框の摺動操作でスクリーンが巻取軸から繰り出されたときに第１及び第２のワイヤーが該巻取軸に巻き取られ、第１及び第２のワイヤーが巻取軸から繰り出されたときスクリーンが巻取軸に巻き取られる関係を相互に有することを特徴とする巻取り式スクリーン装置を提供するものである。
【発明の効果】
【００１０】
以上に詳述した本発明の巻取り式スクリーン装置によれば、可動框を小さい力で摺動させることでスクリーンの移動を容易なものとし、また、スクリーンを可動框の摺動に連動させて巻取軸から繰り出したり、或いは、巻き取ることが可能である。
【図面の簡単な説明】
【００１１】
【図１】本発明の実施例に係る巻取り式スクリーン装置を概略的に示す部分破断正面図である。
【図２】同側断面図である。
【図３】（ａ）は図１におけるＡ−Ａ断面図であり、（ｂ）は図１におけるＢ−Ｂ断面図である。
【図４】巻取りボックス内の巻取軸の部分拡大図である。
【発明を実施するための形態】
【００１２】
図１−図４は、本発明に係る巻取り式スクリーン装置の一実施例を示している。
本実施例の巻取り式スクリーン装置１は、建物開口部に取り付けられるスクリーン枠２と、該スクリーン枠２の上下の横枠３，４に沿って摺動可能な可動框５と、この可動框５によって開閉操作されるスクリーン６と、スクリーン６が巻き取られる巻取軸８が内部に支持された巻取りボックス７とを有している。
【００１３】
上記スクリーン枠２は、該スクリーン枠２における左右の縦枠のうち、一方の縦枠が上記巻取りボックス７として構成され、他方の縦枠が上記スクリーン６の展張時に可動框５が衝当する受け枠９として構成されている。このスクリーン枠２は、これら巻取りボックス７と受け枠９との上下部を、連結部材１０で上横枠３及び下横枠４に連結することにより構成されている。
【００１４】
上下の横枠３，４は、スクリーン６の側端（図１における上下端）を保持してガイドするもので、図２に示すように、それぞれスクリーン６側に開口する溝状の型材からなり、それらの開口の口縁には、内向きに対向する各一対のリブ３ａ，３ｂ及び４ａ，４ｂが形成されている。下横枠４のリブ４ａ，４ｂの外面は、上記可動框５の下端に設けられた左右一対の転輪１１の転動面を形成している。
【００１５】
上記スクリーン６は、防虫に適したネット、遮光性に富んだネットまたはシート、目隠しに適したネットやシート等、用途に応じて適宜の材料で形成される。このスクリーン６は、その一端が周知の手段で上記巻取軸８に着脱自在に固定され、スクリーン６の他端は取付部材１２を介して可動框５に着脱自在に固定されている。この固定については、図３の（ａ）に示すように、可動框５の巻取りボックス７に臨む側に該可動框５の軸線方向に延びる取付溝１３が形成されており、この取付溝１３内に上記取付部材１２を弾性的に圧嵌させることで行われる。
【００１６】
図３の（ａ）に示すように、上記受け枠９は、上記スクリーン６の全張設状態で上記可動框５が衝当する衝当面９ａを有している。また、受け枠９は、上記衝当面９ａから可動框５に向けて立設する一対の側壁９ｂ，９ｂが形成されていることで、その断面が略コ字状に形成されている。上記側壁９ｂ，９ｂは、可動框５に向けて相対して広がる斜面形状を成し、上記可動框５の受け枠９に臨む面側は、この斜面形状に対応して受け枠９の両側壁９ｂ，９ｂ間に嵌入されるように、その一部が受け枠９方向に向けて先細りした形状を成している。
【００１７】
上記巻取りボックス７は、その内部の上下端部において、該ボックス７の内側に向く面に形成された軸支部（図示略）で上記巻取軸８を回転自在に支持している。図１及び図４に示すように、巻取りボックス７内に配された上記巻取軸８は、スクリーン６の一端が固定され実質的にこのスクリーン６が巻き取られるスクリーン巻取部１４と、その両端に設けられて上記軸支部で回転自在に支持されるキャップ部１５とから構成されている。上記キャップ部１５は、後述するワイヤーを巻着するリール部１６と、このリール部１６に連続する上記軸支部を備えた胴部１７とを有している。そして、上記キャップ部１５の胴部１７と上記スクリーン巻取部１４との中心軸線を合わせてそれらを連結固定している。これにより、上記リール部１６は、上記スクリーン巻取部１４の軸線と同心配備され、上記スクリーン巻取部１４と一体的に回転するように形成されている。
【００１８】
なお、本実施例において、上記巻取軸８は、上記スクリーン巻取部１４とキャップ部１５とを組み合わせることで構成されているが、これに限らず、上記キャップ部１５におけるリール部１６を別体のものとして成形したうえで、組み付けに際して一体化することもできる。
【００１９】
上記可動框５には、その上下端に第１及び第２のワイヤー１８，１９の端部がそれぞれ固定されているが、これらのワイヤーは、該可動框５の内部において上下端間に形成されている空洞部２０の上下口縁付近で、上記ワイヤー１８，１９の先端がビス止め等の適宜の手段で固定されている。また、上記ワイヤー１８，１９の基端側は、上記空洞部２０の口縁付近からそれぞれ上下横枠３，４に沿って受け枠９側に導かれる。該受け枠９の上下部に配された上記連結部材１０は、図１及び図３の（ｂ）からわかるように、ワイヤー１８，１９の転向ガイドを兼ねており、第１及び第２ワイヤー１８，１９は、これら連結部材１０の断面略Ｕ字状に湾曲した転向面１０ａに沿ってその経路が巻取りボックス７側に略１８０度転向されている。
【００２０】
上記連結部材１０の転向面１０ａで折り返された二つのワイヤー１８，１９は、上下横枠３，４に沿って巻取りボックス７側に導かれたうえで、該巻取りボックス７の近傍において横枠３，４内に突出した連結部材１０のガイド壁１０ｂにガイドされて、スムーズに巻取りボックス７内に導かれ、上記巻取軸８のリール部１６に巻き付けられている。上記ワイヤー１８，１９の基端が巻き付けられる上記巻取軸８のリール部１６は、図４に示すように、ワイヤー巻回面１６ａの幅方向両端に、ワイヤー巻回面１６ａからのワイヤーの外れを防止する一対のフランジ１６ｂ，１６ｂが形成されている。
【００２１】
上記第１及び第２ワイヤー１８，１９は、図３の（ａ）及び（ｂ）に示すように、上記リール部１６に対し上記スクリーン６の巻取り方向とは逆向きに巻着されている。即ち、上横枠３側からみると、上記スクリーン６は、スクリーン巻取部１４に左巻きに巻き付けられているが、第１及び第２ワイヤー１８，１９は、この巻き方向とは逆に、上記リール部１６に右巻きに巻き付けられている。
【００２２】
このように、巻取軸８に対してスクリーン６とワイヤー１８，１９とがそれぞれ逆向きに巻き付けられていると、上記可動框５を操作してスクリーン６を展張させる方向に摺動させたとき、スクリーン６が繰り出されるのに伴って、上記スクリーン巻取部１４が図３の（ａ）において反時計周りに回転するとともに、この回転に連動してリール部１６が一体的に同図（ｂ）において反時計周りに回転することから、該スクリーン６を介して巻取軸８のリール部１６に上下のワイヤー１８，１９を巻き取る方向の回転力が与えられることになり、一方、可動框５を上記スクリーン６の収納方向に摺動させるスクリーン６の巻取り時には、可動框５に連結された第１及び第２ワイヤー１８，１９が上記リール部１６から繰り出され、可動框５の移動が該ワイヤー１８，１９を介して巻取軸８のスクリーン巻取部１４に対しスクリーン６の巻き取り方向の回転力を与えることになり、これにより上記スクリーン６が撓むことなくスクリーン巻取部１４に巻き取られる。
【００２３】
なお、巻取軸８のスクリーン巻取部１４に対するスクリーン６の巻き取りと、リール部１６に対する上下のワイヤー１８，１９の巻き取り方向が互いに逆向きであるため、例えば、可動框５を操作してスクリーン６展張方向へ移動させる際に、可動框５の位置によって、巻取軸８の回転角に応じて繰り出されるスクリーン６の長さと、ワイヤー１８，１９の巻取り量とが異なってしまう可能性もあり、それに起因して、可動框５の移動途中でスクリーン６やワイヤー１８，１９にやや弛みが生じることにもなるが、この弛みが大きくなるような場合は、ワイヤー１８，１９の一部に弾性伸縮する弾性部材を装着する等による弛み吸収機構を付設することもできる。
【００２４】
かくして、上記巻取り式スクリーン装置１においては、巻取軸８にばね付勢手段が付設されていないことから、小さい力で可動框５を摺動させることができて、スクリーン６の移動が容易になり、また、上記スクリーン６を全展張状態で維持することに関連して、可動框５と受け枠９とにラッチ機構等の固定手段を付設する場合に、ばね付勢に抗する係合力を必要としないことから、その固定解除を単純且つ容易に行うことができるもので足りる。上記可動框５を操作して、巻取りボックス７と受け枠９との間で停止させその位置で位置保持させる場合も、別途部材を必要とすることなく、また、特殊な構造を施すことなく使用者が望む位置にスクリーンを保持させることが可能である。
【００２５】
そして、上述したように巻取軸８の上下端に第１及び第２ワイヤー１８，１９を配設すると、これらワイヤー１８，１９により可動框５を平行移動させることも可能になり、従って、上記第１及び第２ワイヤー１８，１９により可動框の平行移動機構を構成させることもできる。
【００２６】
以上、本発明に係る巻取り式スクリーン装置１の一実施例について詳細に説明してきたが、本発明は上記実施例に限定されるものではなく、本発明の要旨を逸脱しない範囲において、様々な設計変更が可能である。
【符号の説明】
【００２７】
１      巻取り式スクリーン装置
２      スクリーン枠
３      上横枠
４      下横枠
５      可動框
６      スクリーン
７      巻取りボックス
８      巻取軸
９      受け枠
１４    スクリーン巻取部
１６    リール部
１８    第１ワイヤー
１９    第２ワイヤー
【図１】
0005675414.tif 000002
【図２】
0005675414.tif 000003
【図３】
0005675414.tif 000004
【図４】
0005675414.tif 000005